(57)【要約】【課題】視覚障害者にとって操作部の使い勝手を向上させることができる加熱調理器を提供すること。【解決手段】加熱調理器は、調理容器を加熱する加熱部と、ユーザーによる接触を検知する接触検知部、および、ユーザーによる押下を検知する押下検知部で構成された複数の操作キーを有し、加熱部の操作を行う操作部と、少なくとも音声を発する報知部と、接触検知部により操作キーへの接触を検知した場合に、報知部により該操作キーが何の操作キーであるのかを報知し、押下検知部により接触を検知した操作キーの押下を検知した場合に、押下された操作キーの入力を受け付ける制御装置と、を備えたものである。【選択図】図１
2019095082.tif 000002
【特許請求の範囲】
【請求項１】
調理容器を加熱する加熱部と、
ユーザーによる接触を検知する接触検知部、および、ユーザーによる押下を検知する押下検知部で構成された複数の操作キーを有し、前記加熱部の操作を行う操作部と、
少なくとも音声を発する報知部と、
前記接触検知部により前記操作キーへの接触を検知した場合に、前記報知部により該操作キーが何の操作キーであるのかを報知し、前記押下検知部により接触を検知した前記操作キーの押下を検知した場合に、押下された前記操作キーの入力を受け付ける制御装置と、を備えた
ことを特徴とする加熱調理器。
【請求項２】
前記制御装置は、
前記押下検知部により最後に接触を検知した前記操作キー以外の前記操作キーの押下を検知した場合、押下された前記操作キーの入力を受け付けず、前記押下検知部により、再度いずれかの前記操作キーへの押下があるかどうかを判定する
ことを特徴とする請求項１に記載の加熱調理器。
【請求項３】
前記制御装置は、
前記接触検知部により前記操作キーへの接触を検知した場合に、該操作キーが操作可能な操作キーでなかった場合、前記報知部により該操作キーが何の操作キーであるのかを報知しない
ことを特徴とする請求項１または２に記載の加熱調理器。
【請求項４】
前記制御装置は、
前記接触検知部により前記操作キーへの接触を検知した場合に、該操作キーが操作可能な操作キーでなかった場合、前記報知部によりエラーを報知する
ことを特徴とする請求項１〜３のいずれか一項に記載の加熱調理器。
【発明の詳細な説明】
【技術分野】
【０００１】
本発明は、加熱部の操作を行う操作部を備えた加熱調理器に関するものである。
【背景技術】
【０００２】
従来、同一の操作キーを連続で複数回入力することで操作を確定する加熱調理器が提案されている（例えば、特許文献１参照）。
【０００３】
特許文献１に係る加熱調理器は、本体の上面に配置して被加熱物を載置するプレートと、プレートの下方に被加熱物である鍋を加熱する加熱部と、プレートに設けられ加熱部の加熱条件の入力を静電容量の変化によって設定する操作部と、操作部で設定された加熱条件に応じて加熱部を制御する制御手段とを備え、制御手段は、操作部の同一の操作キーを連続で複数回入力することで操作を確定するものである。また、視覚障害者が静電容量式スイッチのタッチキーを操作できるように、タッチキーの上部などにキー名称などを示す点字が設けられている。
【０００４】
特許文献１では、一度目の操作ではキー操作は確定せず、同一操作を複数回行うことで操作を確定することができる。そのため、視覚障害者が点字を読み取るときにタッチキーに指が触れても、意図しない操作が入力されるのを抑制することができ、視覚障害者が静電容量式スイッチを安全かつ快適に使用することができる。
【先行技術文献】
【特許文献】
【０００５】
【特許文献１】特開２０１５−１０６４６１号公報
【発明の概要】
【発明が解決しようとする課題】
【０００６】
しかしながら、視覚障害者の中には点字をよく読めない方もいるため、そのような方にとっては、点字で操作キーの名称などが示された構成となっている特許文献１に係る加熱調理器の操作部は、使い勝手がよくないという課題があった。
【０００７】
本発明は、以上のような課題を解決するためになされたもので、視覚障害者にとって操作部の使い勝手を向上させることができる加熱調理器を提供することを目的としている。
【課題を解決するための手段】
【０００８】
本発明に係る加熱調理器は、調理容器を加熱する加熱部と、ユーザーによる接触を検知する接触検知部、および、ユーザーによる押下を検知する押下検知部で構成された複数の操作キーを有し、前記加熱部の操作を行う操作部と、少なくとも音声を発する報知部と、前記接触検知部により前記操作キーへの接触を検知した場合に、前記報知部により該操作キーが何の操作キーであるのかを報知し、前記押下検知部により接触を検知した前記操作キーの押下を検知した場合に、押下された前記操作キーの入力を受け付ける制御装置と、を備えたものである。
【発明の効果】
【０００９】
本発明に係る加熱調理器によれば、操作キーへの接触を検知した場合に、報知部により該操作キーが何の操作キーであるのかを報知し、押下検知部により接触を検知した操作キーの押下を検知した場合に、操作を受け付ける。そのため、ユーザーは、何の操作キーであるか分かった状態で操作キーの入力を行うことができ、視覚障害者にとって操作部の使い勝手を向上させることができる。
【図面の簡単な説明】
【００１０】
【図１】本発明の実施の形態１に係る加熱調理器の斜視図である。
【図２】本発明の実施の形態１に係る加熱調理器の操作部の構成の第一の例を示す模式図である。
【図３】本発明の実施の形態１に係る加熱調理器の操作部の構成の第二の例を示す模式図である。
【図４】本発明の実施の形態１に係る加熱調理器の操作部の構成の第三の例を示す模式図である。
【図５】本発明の実施の形態１に係る加熱調理器の操作部の構成の第四の例を示す模式図である。
【図６】本発明の実施の形態１に係る加熱調理器の操作部の構成の第五の例を示す模式図である。
【図７】本発明の実施の形態１に係る加熱調理器の操作部の構成の第六の例を示す模式図である。
【図８】本発明の実施の形態１に係る加熱調理器の操作部の構成の第七の例を示す模式図である。
【図９】本発明の実施の形態１に係る加熱調理器の操作部の構成の第八の例を示す模式図である。
【図１０】本発明の実施の形態１に係る加熱調理器の操作部の構成の第九の例を示す模式図である。
【図１１】本発明の実施の形態１に係る加熱調理器の操作部の構成の第十の例を示す模式図である。
【図１２】本発明の実施の形態１に係る加熱調理器の操作部の構成の第十一の例を示す模式図である。
【図１３】本発明の実施の形態１に係る加熱調理器の操作部の構成の第十二の例を示す模式図である。
【図１４】本発明の実施の形態１に係る加熱調理器の電気的構成を示すブロック図である。
【図１５】本発明の実施の形態１に係る加熱調理器の操作時の動作の一例を示すフローチャートである。
【図１６】本発明の実施の形態２に係る加熱調理器の操作時の動作の一例を示すフローチャートである。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。なお、以下において、上下左右方向および前後方向は、加熱調理器を正面視した状態における方向であるものとする。
【００１２】
実施の形態１．
図１は、本発明の実施の形態１に係る加熱調理器１００の斜視図である。
本実施の形態１に係る加熱調理器１００は、図１に示すように、天板１１、操作部３０、および、表示部１９を有する上部ユニット１０と、筐体２１およびグリル庫２２を有する下部ユニット２０と、を備えている。
【００１３】
ユーザーは、加熱調理器１００の上面の前方側に配置されている操作部３０を操作して、例えば、調理メニューの選択および加熱部の制御などを行うことができる。なお、操作部３０については後で詳述する。また、表示部１９は、加熱調理器１００の動作状態、および、操作部３０への入力内容などを表示するとともに、ユーザーに加熱調理器１００の状態などを表示するものである。
【００１４】
上部ユニット１０は、天板１１の下側に加熱部（後述する左加熱部２６、右加熱部２７、中央加熱部２８）を有する。加熱部は、例えば誘導加熱コイルであり、誘導加熱コイルは、天板１１の下面側に配置されている。そして、その誘導加熱コイルの上端部が天板１１の下面に微小間隔を置いて近接しており、誘導加熱源となる。
【００１５】
天板１１の加熱部に対応した位置には、調理容器の載置部（左載置部１２、右載置部１３、中央載置部１４）が設けられている。ユーザーは、載置部に調理容器を載置して、調理を行うことができる。天板１１の後方には、吸気口１７および排気口１８が設けられており、これらの上面には、スリット形状のカバー（図示せず）が設置されている。
【００１６】
下部ユニット２０のグリル庫２２は、筐体２１の内部に設けられ、ステンレス、剛板などの金属板により上下左右および後方側の壁面が形成されている。また、グリル庫２２の上部天井付近および底部付近には上下一対の、例えばシーズーヒータなどの輻射式電気加熱源が略水平に広がるように設置されている。
【００１７】
次に、本発明の実施の形態１に係る加熱調理器１００の操作部３０の構成について説明するが、操作部３０は、以下に説明する第一の例〜第十二の例のいずれの構成であってもよい。
【００１８】
図２は、本発明の実施の形態１に係る加熱調理器１００の操作部３０の構成の第一の例を示す模式図である。
図２に示すように、操作部３０は、複数の操作キー３１ａを備えており、操作キー３１ａはそれぞれ、接触検知部３２ａと、操作基板３３ａと、押下検知部３４ａと、で構成されている。また、各操作キー３１ａの上部には、ガラスまたはエスカッションなどの絶縁体で構成された保護カバー３５ａが設けられている。
【００１９】
接触検知部３２ａは、接触を検知するものであり、例えば電極で構成され、ユーザーが保護カバー３５ａを介して電極に接触することで静電容量が変化する静電容量方式のタッチスイッチである。この接触検知部３２ａは、保護カバー３５ａの下方かつ操作基板３３ａの上方に位置し、保護カバー３５ａに密着して設けられている。また、操作基板３３ａは、接触検知部３２ａの下面に密着して支持される。
【００２０】
押下検知部３４ａは、押し込みによる圧力を検知するものであり、例えばユーザーがボタンを押し下げることで電気回路を通電させるタクタイルスイッチである。この押下検知部３４ａは、操作基板３３ａの下方に設けられている。また、押下検知部３４ａの下面は上部ユニット１０側に固定される。
【００２１】
ユーザーが操作キー３１ａを押し下げると、保護カバー３５ａが弾性変形してボタンが押し下げられ、タクタイルスイッチがオンされて、電気回路に通電される。一方、ユーザーが操作キー３１ａから手を離すと、保護カバー３５ａの変形が元に戻り、タクタイルスイッチのオンからオフに戻る復元力により、電気回路の通電が解除される。
【００２２】
操作基板３３ａは、操作回路が実装されており、接触検知部３２ａおよび押下検知部３４ａと電気的に接続されている。そして、接触検知部３２ａおよび押下検知部３４ａの検知信号は、操作基板３３ａを介して後述する制御装置４０に送られる。
【００２３】
また、各操作キー３１ａは、接触検知部３２ａの検知範囲と押下検知部３４ａの検知範囲とが同じになっているため、ユーザーが同じ位置に接触および押下することにより、接触および圧力を検知する。
【００２４】
図３は、本発明の実施の形態１に係る加熱調理器１００の操作部３０の構成の第二の例を示す模式図である。
図３に示すように、操作部３０は複数の操作キー３１ｂを備えている。操作キー３１ｂはそれぞれ、操作キー３１ｂ毎に設けられた接触検知部３２ｂと、全ての操作キー３１ｂに共通の操作基板３３ｂと、全ての操作キー３１ｂに共通の押下検知部３４ｂと、で構成されている。また、各操作キー３１ｂの上部には、ガラスまたはエスカッションなどの絶縁体で構成された保護カバー３５ｂが設けられている。
【００２５】
接触検知部３２ｂは、接触を検知するものであり、例えば電極で構成され、ユーザーが保護カバー３５ｂを介して電極に接触することで静電容量が変化する静電容量方式のタッチスイッチである。この接触検知部３２ｂは、保護カバー３５ｂの下方かつ操作基板３３ｂの上方に位置し、保護カバー３５ｂに密着して設けられている。また、操作基板３３ｂは、接触検知部３２ｂの下面に密着して支持される。
【００２６】
押下検知部３４ｂは、押し込みによる圧力を検知するものであり、例えばユーザーがボタンを押し下げることで電気回路を通電させるタクタイルスイッチである。この押下検知部３４ｂは、操作基板３３ｂの下方に設けられている。また、押下検知部３４ｂの下面は上部ユニット１０側に固定される。
【００２７】
ユーザーが操作キー３１ｂを押し下げると、保護カバー３５ｂが弾性変形してボタンが押し下げられ、タクタイルスイッチがオンされて、電気回路に通電される。一方、ユーザーが操作キー３１ｂから手を離すと、保護カバー３５ｂの変形が元に戻り、タクタイルスイッチのオンからオフに戻る復元力により、電気回路の通電が解除される。
【００２８】
操作基板３３ｂは、操作回路が実装されており、接触検知部３２ｂおよび押下検知部３４ｂと電気的に接続されている。そして、接触検知部３２ｂおよび押下検知部３４ｂの検知信号は、操作基板３３ｂを介して後述する制御装置４０に送られる。
【００２９】
また、各操作キー３１ｂは、接触検知部３２ｂの検知範囲と押下検知部３４ｂの検知範囲とが同じになっているため、ユーザーが同じ位置に接触および押下することにより、接触および圧力を検知する。
【００３０】
図４は、本発明の実施の形態１に係る加熱調理器１００の操作部３０の構成の第三の例を示す模式図である。
図４に示すように、操作部３０は複数の操作キー３１ｃを備えている。操作キー３１ｃはそれぞれ、接触検知部３２ｃと、操作基板３３ｃ１、３３ｃ２と、押下検知部３４ｃと、で構成されている。また、各操作キー３１ｃの上部には、ガラスまたはエスカッションなどの絶縁体で構成された保護カバー３５ｃが設けられている。
【００３１】
接触検知部３２ｃは、接触を検知するものであり、例えば電極で構成され、ユーザーが保護カバー３５ｃを介して電極に接触することで静電容量が変化する静電容量方式のタッチスイッチである。この接触検知部３２ｃは、保護カバー３５ｃの下方かつ操作基板３３ｃ１の上方に位置し、保護カバー３５ｃに密着して設けられている。また、操作基板３３ｃ１は、接触検知部３２ｃの下面に密着して支持される。
【００３２】
押下検知部３４ｃは、押し込みによる圧力を検知するものであり、例えばユーザーがボタンを押し下げることで電気回路を通電させるタクタイルスイッチである。この押下検知部３４ｃは、保護カバー３５ｃの下方かつ操作基板３３ｃ２の上方に位置し、接触検知部３２ｃと水平方向に隣接して設けられている。また、押下検知部３４ｃの下面は操作基板３３ｃ２の上面に固定され、操作基板３３ｃ２の下面は上部ユニット１０側に固定される。
【００３３】
ユーザーが操作キー３１ｃを押し下げると、保護カバー３５ｃが弾性変形してボタンが押し下げられ、タクタイルスイッチがオンされて、電気回路に通電される。一方、ユーザーが操作キー３１ｃから手を離すと、保護カバー３５ｃの変形が元に戻り、タクタイルスイッチのオンからオフに戻る復元力により、電気回路の通電が解除される。
【００３４】
操作基板３３ｃ１は、操作回路が実装されており、接触検知部３２ｃと電気的に接続されている。そして、接触検知部３２ｃの検知信号は、操作基板３３ｃ１を介して後述する制御装置４０に送られる。また、操作基板３３ｃ２は、操作回路が実装されており、押下検知部３４ｃと電気的に接続されている。そして、押下検知部３４ｃの検知信号は、操作基板３３ｃ２を介して制御装置４０に送られる。
【００３５】
また、各操作キー３１ｃは、接触検知部３２ｂの検知範囲と押下検知部３４ｂの検知範囲とが異なっているため、ユーザーが異なる位置に接触および押下することにより、接触および圧力を検知する。
【００３６】
図５は、本発明の実施の形態１に係る加熱調理器１００の操作部３０の構成の第四の例を示す模式図である。
図５に示すように、操作部３０は複数の操作キー３１ｄを備えている。操作キー３１ｄはそれぞれ、操作キー３１ｄ毎に設けられた接触検知部３２ｄと、全ての操作キー３１ｄに共通の操作基板３３ｄと、操作キー３１ｄ毎に設けられた押下検知部３４ｄと、で構成されている。また、各操作キー３１ｄの上部には、ガラスまたはエスカッションなどの絶縁体で構成された保護カバー３５ｄが設けられている。
【００３７】
接触検知部３２ｄは、接触を検知するものであり、例えばバネで構成され、ユーザーが保護カバー３５ｄを介してバネに接触することで静電容量が変化する静電容量方式のタッチスイッチである。この接触検知部３２ｄは、保護カバー３５ｄの下方かつ操作基板３３ｄの上方に位置し、保護カバー３５ｄに密着して設けられている。また、操作基板３３ｄ１の下面は上部ユニット１０側に固定される。
【００３８】
押下検知部３４ｄは、押し込みによる圧力を検知するものであり、例えばユーザーがボタンを押し下げることで電気回路を通電させるタクタイルスイッチである。この押下検知部３４ｄは、保護カバー３５ｄの下方かつ操作基板３３ｄの上方に位置し、バネである接触検知部３２ｄの内部に設けられている。また、押下検知部３４ｄの下面は操作基板３３ｄの上面に固定される。
【００３９】
ユーザーが操作キー３１ｄを押し下げると、保護カバー３５ｄが弾性変形してボタンが押し下げられ、タクタイルスイッチがオンされて、電気回路に通電される。一方、ユーザーが操作キー３１ｄから手を離すと、保護カバー３５ｄの変形が元に戻り、タクタイルスイッチのオンからオフに戻る復元力により、電気回路の通電が解除される。
【００４０】
操作基板３３ｄは、操作回路が実装されており、接触検知部３２ｄおよび押下検知部３４ｄと電気的に接続されている。そして、接触検知部３２ｄおよび押下検知部３４ｄの検知信号は、操作基板３３ｄを介して後述する制御装置４０に送られる。
【００４１】
また、各操作キー３１ｄは、接触検知部３２ｄの検知範囲と押下検知部３４ｄの検知範囲とが同じになっているため、ユーザーが同じ位置に接触および押下することにより、接触および圧力を検知する。
【００４２】
図６は、本発明の実施の形態１に係る加熱調理器１００の操作部３０の構成の第五の例を示す模式図である。
図６に示すように、操作部３０は複数の操作キー３１ｅを備えている。操作キー３１ｅはそれぞれ、操作キー３１ｅ毎に設けられた接触検知部３２ｅと、全ての操作キー３１ｅに共通の操作基板３３ｅと、全ての操作キー３１ｅに共通の押下検知部３４ｅと、で構成されている。また、各操作キー３１ｅの上部には、ガラスまたはエスカッションなどの絶縁体で構成された保護カバー３５ｅが設けられている。
【００４３】
接触検知部３２ｅは、接触を検知するものであり、例えばバネで構成され、ユーザーが保護カバー３５ｅを介してバネに接触することで静電容量が変化する静電容量方式のタッチスイッチである。この接触検知部３２ｅは、保護カバー３５ｅの下方かつ操作基板３３ｅの上方に位置し、保護カバー３５ｅに密着して設けられている。また、操作基板３３ｅは、接触検知部３２ｅの下面に密着して支持される。
【００４４】
押下検知部３４ｅは、押し込みによる圧力を検知するものであり、例えばユーザーがボタンを押し下げることで電気回路を通電させるタクタイルスイッチである。この押下検知部３４ｅは、操作基板３３ｅの下方に設けられている。また、押下検知部３４ｅの下面は上部ユニット１０側に固定される。
【００４５】
ユーザーが操作キー３１ｅを押し下げると、保護カバー３５ｅが弾性変形してボタンが押し下げられ、タクタイルスイッチがオンされて、電気回路に通電される。一方、ユーザーが操作キー３１ｅから手を離すと、保護カバー３５ｅの変形が元に戻り、タクタイルスイッチのオンからオフに戻る復元力により、電気回路の通電が解除される。
【００４６】
操作基板３３ｅは、操作回路が実装されており、接触検知部３２ｅおよび押下検知部３４ｅと電気的に接続されている。そして、接触検知部３２ｅおよび押下検知部３４ｅの検知信号は、操作基板３３ｅを介して後述する制御装置４０に送られる。
【００４７】
また、各操作キー３１ｅは、接触検知部３２ｅの検知範囲と押下検知部３４ｅの検知範囲とが同じになっているため、ユーザーが同じ位置に接触および押下することにより、接触および圧力を検知する。
【００４８】
図７は、本発明の実施の形態１に係る加熱調理器１００の操作部３０の構成の第六の例を示す模式図である。
図７に示すように、操作部３０は複数の操作キー３１ｆを備えている。操作キー３１ｆはそれぞれ、操作キー３１ｆ毎に設けられた接触検知部３２ｆと、全ての操作キー３１ｅに共通の操作基板３３ｆと、操作キー３１ｆ毎に設けられた押下検知部３４ｆと、で構成されている。また、各操作キー３１ｆの上部には、ガラスまたはエスカッションなどの絶縁体で構成された保護カバー３５ｆが設けられている。
【００４９】
接触検知部３２ｆは、接触を検知するものであり、例えばバネで構成され、ユーザーが保護カバー３５ｆを介してバネに接触することで静電容量が変化する静電容量方式のタッチスイッチである。この接触検知部３２ｆは、保護カバー３５ｆの下方かつ操作基板３３ｆの上方に位置し、保護カバー３５ｆに密着して設けられている。
【００５０】
押下検知部３４ｆは、押し込みによる圧力を検知するものであり、例えばユーザーがボタンを押し下げることで電気回路を通電させるタクタイルスイッチである。この押下検知部３４ｆは、保護カバー３５ｆの下方かつ操作基板３３ｆの上方に位置し、接触検知部３２ｆと水平方向に隣接して設けられている。また、押下検知部３４ｆの下面は操作基板３３ｆの上面に固定され、操作基板３３ｆの下面は上部ユニット１０側に固定される。
【００５１】
ユーザーが操作キー３１ｆを押し下げると、保護カバー３５ｆが弾性変形してボタンが押し下げられ、タクタイルスイッチがオンされて、電気回路に通電される。一方、ユーザーが操作キー３１ｆから手を離すと、保護カバー３５ｆの変形が元に戻り、タクタイルスイッチのオンからオフに戻る復元力により、電気回路の通電が解除される。
【００５２】
操作基板３３ｆは、操作回路が実装されており、接触検知部３２ｆおよび押下検知部３４ｆと電気的に接続されている。そして、接触検知部３２ｆおよび押下検知部３４ｆの検知信号は、操作基板３３ｆを介して後述する制御装置４０に送られる。
【００５３】
また、各操作キー３１ｆは、接触検知部３２ｂの検知範囲と押下検知部３４ｆの検知範囲とが異なっているため、ユーザーが異なる位置に接触および押下することにより、接触および圧力を検知する。
【００５４】
図８は、本発明の実施の形態１に係る加熱調理器１００の操作部３０の構成の第七の例を示す模式図である。
図８に示すように、操作部３０は複数の操作キー３１ｇを備えている。操作キー３１ｇはそれぞれ、操作キー３１ｇ毎に設けられた接触検知部３２ｇと、全ての操作キー３１ｇに共通の操作基板３３ｇと、操作キー３１ｇ毎に設けられた押下検知部３４ｇと、で構成されている。また、各操作キー３１ｇの上部には、ガラスまたはエスカッションなどの絶縁体で構成された保護カバー３５ｇが設けられている。
【００５５】
接触検知部３２ｇは、接触を検知するものであり、例えば電極で構成され、ユーザーが保護カバー３５ｇおよび押下検知部３４ｇを介して電極に接触することで静電容量が変化する静電容量方式のタッチスイッチである。この接触検知部３２ｇは、押下検知部３４ｇの下方かつ操作基板３３ｇの上方に位置し、押下検知部３４ｇに密着して設けられている。
【００５６】
押下検知部３４ｇは、押し込みによる圧力を検知するものであり、例えばひずみゲージで構成され、ユーザーが押し下げることによってひずみゲージに掛かる圧力の変化を、ひずみゲージに流れる電流値の変化として取り出すものである。この押下検知部３４ｇは、保護カバー３５ｇの下方かつ接触検知部３２ｇの上方に位置し、保護カバー３５ｆに密着して設けられている。また、押下検知部３４ｇの下面は上部ユニット１０側に固定される。
【００５７】
ユーザーが操作キー３１ｇを押し下げると、保護カバー３５ｇが弾性変形してひずみゲージが押し下げられて圧力が掛かり、ひずみゲージに流れる電流値が変化して操作キー３１ｇが押し下げられたことを検知する。一方、ユーザーが操作キー３１ｇから手を離すと、保護カバー３５ｇの変形が元に戻り、ひずみゲージに掛かる圧力が解除され、操作キー３１ｇの押し下げがなくなったことを検知する。
【００５８】
操作基板３３ｇは、操作回路が実装されており、接触検知部３２ｇおよび押下検知部３４ｇと電気的に接続されている。そして、接触検知部３２ｇおよび押下検知部３４ｇの検知信号は、操作基板３３ｇを介して後述する制御装置４０に送られる。
【００５９】
また、各操作キー３１ｇは、接触検知部３２ｇの検知範囲と押下検知部３４ｇの検知範囲とが同じになっているため、ユーザーが同じ位置に接触および押下することにより、接触および圧力を検知する。
【００６０】
図９は、本発明の実施の形態１に係る加熱調理器１００の操作部３０の構成の第八の例を示す模式図である。
図９に示すように、操作部３０は複数の操作キー３１ｈを備えている。操作キー３１ｈはそれぞれ、接触検知部３２ｈと、操作基板３３ｈと、押下検知部３４ｈと、で構成されている。また、各操作キー３１ｈの上部には、ガラスまたはエスカッションなどの絶縁体で構成された保護カバー３５ｈが設けられている。
【００６１】
接触検知部３２ｈは、接触を検知するものであり、例えば電極で構成され、ユーザーが電極に接触することで静電容量が変化する静電容量方式のタッチスイッチである。この接触検知部３２ｈは、保護カバー３５ｈの下方かつ操作基板３３ｈの上方に位置し、保護カバー３５ｈに密着して設けられている。
【００６２】
押下検知部３４ｈは、押し込みによる圧力を検知するものであり、例えばひずみゲージで構成され、ユーザーが押し下げることによってひずみゲージに掛かる圧力の変化を、ひずみゲージに流れる電流値の変化として取り出すものである。この押下検知部３４ｈは、操作基板３３ｈの下方に設けられている。また、押下検知部３４ｈの下面は上部ユニット１０側に固定される。
【００６３】
ユーザーが操作キー３１ｈを押し下げると、保護カバー３５ｈが弾性変形してひずみゲージが押し下げられて圧力が掛かり、ひずみゲージに流れる電流値が変化して操作キー３１ｈが押し下げられたことを検知する。一方、ユーザーが操作キー３１ｈから手を離すと、保護カバー３５ｈの変形が元に戻り、ひずみゲージに掛かる圧力が解除され、操作キー３１ｈの押し下げがなくなったことを検知する。
【００６４】
操作基板３３ｈは、操作回路が実装されており、接触検知部３２ｈおよび押下検知部３４ｈと電気的に接続されている。そして、接触検知部３２ｈおよび押下検知部３４ｈの検知信号は、操作基板３３ｈを介して後述する制御装置４０に送られる。
【００６５】
また、各操作キー３１ｈは、接触検知部３２ｈの検知範囲と押下検知部３４ｈの検知範囲とが同じになっているため、ユーザーが同じ位置に接触および押下することにより、接触および圧力を検知する。
【００６６】
図１０は、本発明の実施の形態１に係る加熱調理器１００の操作部３０の構成の第九の例を示す模式図である。
図１０に示すように、操作部３０は複数の操作キー３１ｉを備えている。操作キー３１ｉはそれぞれ、接触検知部３２ｉと、操作基板３３ｉと、押下検知部３４ｉと、で構成されている。また、各操作キー３１ｉの上部には、ガラスまたはエスカッションなどの絶縁体で構成された保護カバー３５ｉが設けられており、保護カバー３５ｉの接触検知部３２ｉ直上となる位置には、光を透過する導光部３６ｉが設けられている。
【００６７】
接触検知部３２ｉは、接触を検知するものであり、例えば受光部および発光部を備えた光センサで構成され、ユーザーが光センサ上の導光部３６ｉに接触することで、光センサの発光部から受光部に入力される光量の変化を検知するものである。この接触検知部３２ｉは、保護カバー３５ｉの導光部３６ｉの直下かつ操作基板３３ｉの上方に設けられている。
【００６８】
押下検知部３４ｉは、押し込みによる圧力を検知するものであり、例えばひずみゲージで構成され、ユーザーが押し下げることによってひずみゲージに掛かる圧力の変化をひずみゲージに流れる電流値の変化として取り出すものである。この押下検知部３４ｉは、保護カバー３５ｉの下方かつ操作基板３３ｉの上方に位置し、接触検知部３２ｉと水平方向に隣接して設けられている。また、操作基板３３ｉの下面は上部ユニット１０側に固定される。
【００６９】
ユーザーが操作キー３１ｉを押し下げると、保護カバー３５ｉが弾性変形してひずみゲージが押し下げられて圧力が掛かり、ひずみゲージに流れる電流値が変化して操作キー３１ｉが押し下げられたことを検知する。一方、ユーザーが操作キー３１ｉから手を離すと、保護カバー３５ｉの変形が元に戻り、ひずみゲージに掛かる圧力が解除され、操作キー３１ｉの押し下げがなくなったことを検知する。
【００７０】
操作基板３３ｉは、操作回路が実装されており、接触検知部３２ｉおよび押下検知部３４ｉと電気的に接続されている。そして、接触検知部３２ｉおよび押下検知部３４ｉの検知信号は、操作基板３３ｉを介して後述する制御装置４０に送られる。
【００７１】
また、各操作キー３１ｉは、接触検知部３２ｉの検知範囲と押下検知部３４ｉの検知範囲とが異なっているため、ユーザーが異なる位置に接触および押下することにより、接触および圧力を検知する。
【００７２】
図１１は、本発明の実施の形態１に係る加熱調理器１００の操作部３０の構成の第十の例を示す模式図である。
図１１に示すように、操作部３０は複数の操作キー３１ｊを備えている。操作キー３１ｊはそれぞれ、接触検知部３２ｊと、操作基板３３ｊと、押下検知部３４ｊと、で構成されている。また、各操作キー３１ｊの上部には、ガラスまたはエスカッションなどの絶縁体で構成された保護カバー３５ｊが設けられており、保護カバー３５ｊの接触検知部３２ｊ直上となる位置には、光を透過する導光部３６ｊが設けられている。
【００７３】
接触検知部３２ｊは、接触を検知するものであり、例えば受光部および発光部を備えた光センサで構成され、ユーザーが光センサ上の導光部３６ｊに接触することで、光センサの発光部から受光部に入力される光量の変化を検知するものである。この接触検知部３２ｊは、保護カバー３５ｊの導光部３６ｊの直下かつ操作基板３３ｊの上方に設けられている。
【００７４】
押下検知部３４ｊは、押し込みによる圧力を検知するものであり、例えばユーザーがボタンを押し下げることで電気回路を通電させるタクタイルスイッチである。この押下検知部３４ｉは、保護カバー３５ｊの下方かつ操作基板３３ｊの上方に位置し、接触検知部３２ｊと水平方向に隣接して設けられている。また、操作基板３３ｊの下面は上部ユニット１０側に固定される。
【００７５】
ユーザーが操作キー３１ｊを押し下げると、保護カバー３５ｊが弾性変形してボタンが押し下げられ、タクタイルスイッチがオンされて、電気回路に通電される。一方、ユーザーが操作キー３１ｊから手を離すと、保護カバー３５ｊの変形が元に戻り、タクタイルスイッチのオンからオフに戻る復元力により、電気回路の通電が解除される。
【００７６】
操作基板３３ｊは、操作回路が実装されており、接触検知部３２ｊおよび押下検知部３４ｊと電気的に接続されている。そして、接触検知部３２ｊおよび押下検知部３４ｊの検知信号は、操作基板３３ｊを介して後述する制御装置４０に送られる。
【００７７】
また、各操作キー３１ｊは、接触検知部３２ｊの検知範囲と押下検知部３４ｊの検知範囲とが異なっているため、ユーザーが異なる位置に接触および押下することにより、接触および圧力を検知する。
【００７８】
図１２は、本発明の実施の形態１に係る加熱調理器１００の操作部３０の構成の第十一の例を示す模式図である。
図１２に示すように、操作部３０は複数の操作キー３１ｋを備えている。操作キー３１ｋはそれぞれ、接触検知部３２ｋと、操作基板３３ｋと、押下検知部３４ｋと、接続体３７ｋと、で構成されている。また、各操作キー３１ｋの上部には、ガラスまたはエスカッションなどの絶縁体で構成された保護カバー３５ｋが設けられており、保護カバー３５ｋの接触検知部３２ｋ直上となる位置には、光を透過する導光部３６ｋが設けられている。
【００７９】
接触検知部３２ｋは、接触を検知するものであり、例えば受光部および発光部を備えた光センサで構成され、ユーザーが光センサ上の導光部３６ｋに接触することで、光センサの発光部から受光部に入力される光量の変化を検知するものである。この接触検知部３２ｋは、保護カバー３５ｋの導光部３６ｋの直下かつ操作基板３３ｋの上方に設けられている。
【００８０】
押下検知部３４ｋは、押し込みによる圧力を検知するものであり、例えばユーザーがボタンを押し下げることで電気回路を通電させるタクタイルスイッチである。この押下検知部３４ｋは、保護カバー３５ｋの下方かつ操作基板３３ｋの上方に位置し、接触検知部３２ｋと水平方向に隣接して設けられている。また、押下検知部３４ｋは、例えばプラスチック製の接続体３７ｋで導光部３６ｋと接続されている。また、操作基板３３ｋの下面は上部ユニット１０側に固定される。
【００８１】
ユーザーが操作キー３１ｋを押し下げると、保護カバー３５ｋが弾性変形して接続体３７ｋを介してボタンが押し下げられ、タクタイルスイッチがオンされて、電気回路に通電される。一方、ユーザーが操作キー３１ｋから手を離すと、保護カバー３５ｋの変形が元に戻り、タクタイルスイッチのオンからオフに戻る復元力により、電気回路の通電が解除される。
【００８２】
操作基板３３ｋは、操作回路が実装されており、接触検知部３２ｋおよび押下検知部３４ｋと電気的に接続されている。そして、接触検知部３２ｋおよび押下検知部３４ｋの検知信号は、操作基板３３ｋを介して後述する制御装置４０に送られる。
【００８３】
また、各操作キー３１ｋは、接触検知部３２ｋの検知範囲と押下検知部３４ｋの検知範囲とが同じになっているため、ユーザーが同じ位置に接触および押下することにより、接触および圧力を検知する。
【００８４】
図１３は、本発明の実施の形態１に係る加熱調理器１００の操作部３０の構成の第十二の例を示す模式図である。
図１３に示すように、操作部３０は複数の操作キー３１ｌを備えている。操作キー３１ｌはそれぞれ、接触検知部３２ｌと、操作基板３３ｌと、押下検知部３４ｌと、で構成されている。また、各操作キー３１ｌの上部には、ガラスまたはエスカッションなどの絶縁体で構成された保護カバー３５ｌが設けられており、保護カバー３５ｌの押下検知部３４ｌ直上となる位置には、光を透過する導光部３６ｌが設けられている。
【００８５】
接触検知部３２ｌは、接触を検知するものであり、例えばそれぞれ別体の受光部および発光部を備えた光センサで構成されている。そして、ユーザーが押下検知部３４ｌ上の導光部３６ｌに接触することで、光センサの発光部から受光部に入力される光量の変化を検知するものである。この接触検知部３２ｌは、保護カバー３５ｌの下方かつ操作基板３３ｌの上方に設けられている。
【００８６】
押下検知部３４ｌは、押し込みによる圧力を検知するものであり、例えばユーザーがボタンを押し下げることで電気回路を通電させるタクタイルスイッチである。この押下検知部３４ｌは、保護カバー３５ｌの導光部３６ｌの直下かつ操作基板３３ｌの上方に位置し、接触検知部３２ｌの受光部と発光部との間に設けられている。また、操作基板３３ｌの下面は上部ユニット１０側に固定される。
【００８７】
ユーザーが操作キー３１ｌを押し下げると、保護カバー３５ｌが弾性変形してボタンが押し下げられ、タクタイルスイッチがオンされて、電気回路に通電される。一方、ユーザーが操作キー３１ｌから手を離すと、保護カバー３５ｌの変形が元に戻り、タクタイルスイッチのオンからオフに戻る復元力により、電気回路の通電が解除される。
【００８８】
操作基板３３ｌは、操作回路が実装されており、接触検知部３２ｌおよび押下検知部３４ｌと電気的に接続されている。そして、接触検知部３２ｌおよび押下検知部３４ｌの検知信号は、操作基板３３ｌを介して後述する制御装置４０に送られる。
【００８９】
また、各操作キー３１ｌは、接触検知部３２ｌの検知範囲と押下検知部３４ｌの検知範囲とが同じになっているため、ユーザーが同じ位置に接触および押下することにより、接触および圧力を検知する。
【００９０】
なお、以下において、操作キー３１ａ〜３１ｌに総称を操作キー３１とし、接触検知部３２ａ〜３２ｌの総称を接触検知部３２とし、操作基板３３ａ〜３３ｌの総称を操作基板３３とする。また、押下検知部３４ａ〜３４ｌの総称を押下検知部３４とし、保護カバー３５ａ〜３５ｌの総称を保護カバー３５とする。
【００９１】
図１４は、本発明の実施の形態１に係る加熱調理器１００の電気的構成を示すブロック図である。
【００９２】
次に、加熱調理器１００の電気的構成について、図１４を参照しながら説明する。
【００９３】
加熱調理器１００は、操作部３０の電源キー（図示せず）の操作に基づいて、商用電源などの外部の交流電源５１から電力が供給される。電源回路４４は、交流電源５１から供給された電力を電圧変換など行ってから制御装置４０に供給するものである。
【００９４】
制御装置４０は、例えばマイクロコンピュータなどで構成され、演算などの各種データ処理を行い、加熱調理器１００全体を制御するものである。
【００９５】
左加熱部制御回路４６、右加熱部制御回路４７、中央加熱部制御回路４８は、制御装置４０からの指示に基づいて駆動し、交流電源５１からの電力を高周波電力に変換して、左加熱部２６、右加熱部２７、中央加熱部２８にそれぞれ供給する回路（手段）である。
【００９６】
左加熱部２６、右加熱部２７、中央加熱部２８は、電力供給により交流磁界を発生し、載置部に載置された、例えば鍋などの調理容器を電磁誘導により加熱する。ここで、左加熱部制御回路４６、右加熱部制御回路４７、中央加熱部制御回路４８は、制御装置４０からの指示に基づいて、互いに独立して駆動することができるように構成されている。
【００９７】
グリル庫加熱部制御回路４５は、制御装置４０からの指示に基づき、輻射式電気加熱源を加熱させるための電力供給制御を行う。グリル庫加熱部２５は、電力供給によりグリル網（図示せず）を上方と下方から加熱する。
【００９８】
なお、グリル庫加熱部２５、左加熱部２６、右加熱部２７、中央加熱部２８は、本発明の「加熱部」に相当する。
【００９９】
記憶装置４１は、例えばメモリなどで構成され、各加熱部の動作状態など、各種情報を記憶するものである。この記憶装置４１には、操作部３０の各操作キー３１に対応する説明用音声データが記憶されている。また、記憶装置４１には、操作キー入力確定音データおよびエラー音データが記憶されている。
【０１００】
報知部４２は、例えばスピーカーで構成され、ユーザーに対する操作の案内、異常発生時の報知などに係る音声および音を電子的に作成して合成する処理を行い、その音声および音を発生させるものである。
【０１０１】
なお、記憶装置４１は、制御装置４０内に設けられていてもよいし、制御装置４０外に設けられていてもよく、制御装置４０と電気的に接続されて互いに通信できる態様で設けられていればよい。
【０１０２】
図１５は、本発明の実施の形態１に係る加熱調理器１００の操作時の動作の一例を示すフローチャートである。
【０１０３】
次に、本実施の形態１に係る加熱調理器１００の操作時の動作について、図１５を参照しながら説明する。
【０１０４】
操作部３０の電源キー（図示せず）が押下され、電源ＯＮとなった状態において、制御装置４０は、接触検知部３２の検知信号に基づいて、いずれかの操作キー３１への接触があるかどうかを判定する（ステップＳ１０１）。
【０１０５】
ステップＳ１０１において、制御装置４０が、いずれかの操作キー３１への接触があると判定した場合（ステップＳ１０１のＹＥＳ）、ステップＳ１０２の処理に進む。一方、制御装置４０が、いずれかの操作キー３１への接触がないと判定した場合（ステップＳ１０１のＮＯ）、再度ステップＳ１０１の処理を行う。
【０１０６】
ステップＳ１０２において、制御装置４０は、接触検知部３２の検知信号に基づいて、接触があった操作キー３１を判定し、その操作キー３１に対応する説明用音声データを記憶装置４１から取得する。そして、制御装置４０は、その取得した説明用音声データに基づいた音声を報知部４２により発生させ、ステップＳ１０３の処理に進む。
【０１０７】
例えば、揚げ物キーへの接触があった場合には、報知部４２から「揚げ物キーです」という音声が発生させられる。なお、「揚げ物キーです」という音声の後に「選択する場合はこの操作キーを押下して下さい」など、その後の操作方法について報知してもよい。また、「揚げ物キーです」という音声の後に「右隣りは予熱キーです」など、周辺のキー情報について報知してもよい。
【０１０８】
ステップＳ１０３において、制御装置４０は、押下検知部３４の検知信号に基づいて、いずれかの操作キー３１への押下があるかどうかを判定する。
【０１０９】
ステップＳ１０３において、制御装置４０がいずれかの操作キー３１への押下があると判定した場合（ステップＳ１０３のＹＥＳ）、ステップＳ１０４の処理に進む。一方、制御装置４０が、いずれかの操作キー３１への押下がないと判定した場合（ステップＳ１０３のＮＯ）、ステップＳ１０５の処理に進む。
【０１１０】
ステップＳ１０４において、制御装置４０は、押下された操作キー３１は最後に接触があった操作キー３１と同じであるかどうかを判定する。
【０１１１】
ステップＳ１０４において、制御装置４０は、押下された操作キー３１は最後に接触があった操作キー３１と同じであると判定した場合（ステップＳ１０４のＹＥＳ）、押下された操作キー３１の入力を受け付け（ステップＳ１０６）、ステップＳ１０７の処理に進む。一方、制御装置４０は、押下された操作キー３１は最後に接触があった操作キー３１と同じではないと判定した場合（ステップＳ１０４のＮＯ）、押下された操作キー３１の入力を受け付けず、ステップＳ１０３の処理に戻る。
【０１１２】
例えば、最後に揚げ物キーへの接触があり、その前に予熱キーへの接触があった場合、制御装置４０が、押下された操作キー３１は揚げ物キーであると判定した場合は、押下された操作キー３１の入力を受け付ける。一方、制御装置４０が、押下された操作キー３１は予熱キーである、つまり最後に接触があった揚げ物キーではないと判定した場合は、ステップＳ１０３の処理に戻る。
【０１１３】
ステップＳ１０５において、制御装置４０は、接触検知部３２の検知信号に基づいて、いずれかの操作キー３１への接触があるかどうかを判定する。
【０１１４】
ステップＳ１０５において、制御装置４０が、いずれかの操作キー３１への接触があると判定した場合（ステップＳ１０５のＹＥＳ）、ステップＳ１０２の処理に戻る。一方、制御装置４０が、いずれかの操作キー３１への接触がないと判定した場合（ステップＳ１０５のＮＯ）、ステップＳ１０３の処理に戻る。
【０１１５】
ステップＳ１０７において、制御装置４０は、操作キー入力確定音データを記憶装置４１から取得し、その取得した操作キー入力確定音データに基づいた音を報知部４２により発生させ、ステップＳ１０１の処理に戻る。
【０１１６】
なお、ステップＳ１０２で報知部４２により音声を発生させている途中で操作キー３１への押下があったら、音声の発生が終了するのを待たずにステップＳ１０３以降の処理を行ってもよい。
【０１１７】
このように、ユーザーは、操作キー３１に触れることで、報知部４２によりその操作キー３１が何の操作キー３１であるかを音声で確認することができる。また、その確認した操作キー３１を押下することで、操作キー３１の入力を行うことができるため、ユーザーは、何の操作キー３１であるか分かった状態で操作キー３１の入力を行うことができる。また、押下された操作キー３１が、最後に接触があった操作キー３１と同じではない場合、押下された操作キー３１の入力を受け付けない。このようにすることで、誤操作を抑制することができる。また、接触検知部３２ではなく押下検知部３４の検知信号に基づいて操作キー３１の入力を受け付けるため、吹き零れなどによる誤操作を抑制することができる。また、ユーザーは、操作キー３１に接触した後、そのまま押下することで操作キー３１の入力を行うことができるため、操作を快適に行うことができる。その結果、視覚障害者にとって操作部３０の使い勝手を向上させることができる。
【０１１８】
以上、本実施の形態１に係る加熱調理器１００は、調理容器を加熱する加熱部と、ユーザーによる接触を検知する接触検知部３２、および、ユーザーによる押下を検知する押下検知部３４で構成された複数の操作キー３１を有し、加熱部の操作を行う操作部３０と、少なくとも音声を発する報知部４２と、接触検知部３２により操作キー３１への接触を検知した場合に、報知部４２により該操作キー３１が何の操作キー３１であるのかを報知し、押下検知部３４により接触を検知した操作キー３１の押下を検知した場合に、操作を受け付ける制御装置４０と、を備えたものである。
【０１１９】
本実施の形態１に係る加熱調理器１００によれば、操作キー３１への接触を検知した場合に、報知部４２により該操作キー３１が何の操作キー３１であるのかを報知し、押下検知部３４により接触を検知した操作キー３１の押下を検知した場合に、操作を受け付ける。そのため、ユーザーは、何の操作キー３１であるか分かった状態で操作キー３１の入力を行うことができ、視覚障害者にとって操作部３０の使い勝手を向上させることができる。
【０１２０】
実施の形態２．
以下、本発明の実施の形態２について説明するが、実施の形態１と重複するものについては説明を省略し、実施の形態１と同じ部分または相当する部分には同じ符号を付す。
【０１２１】
本実施の形態２に係る加熱調理器１００の制御装置４０は、操作可能な操作キー３１への入力のみ受け付け、操作不可能（または操作不要）な操作キー３１への入力は受け付けないように構成されている。例えば、グリルメニューキーによってグリルメニューが設定されていない状態でグリルスタートキーが入力されても、制御装置４０はその入力を受け付けない。
【０１２２】
図１６は、本発明の実施の形態２に係る加熱調理器１００の操作時の動作の一例を示すフローチャートである。
【０１２３】
次に、本実施の形態２に係る加熱調理器１００の操作時の動作について、図１６を参照しながら説明する。
【０１２４】
操作部３０の電源キー（図示せず）が押下され、電源ＯＮとなった状態において、制御装置４０は、接触検知部３２の検知信号に基づいて、いずれかの操作キー３１への接触があるかどうかを判定する（ステップＳ２０１）。
【０１２５】
ステップＳ２０１において、制御装置４０が、いずれかの操作キー３１への接触があると判定した場合（ステップＳ２０１のＹＥＳ）、ステップＳ２０２の処理に進む。一方、制御装置４０が、いずれかの操作キー３１への接触がないと判定した場合（ステップＳ２０１のＮＯ）、再度ステップＳ２０１の処理を行う。
【０１２６】
ステップＳ２０２において、制御装置４０は、接触検知部３２の検知信号に基づいて、接触があった操作キー３１を判定し、接触があった操作キー３１は、操作可能な操作キー３１であるかどうかを判定する。
【０１２７】
ステップＳ２０２において、制御装置４０が、接触があった操作キー３１は、操作可能な操作キー３１であると判定した場合（ステップＳ２０２のＹＥＳ）、ステップＳ２０３の処理に進む。一方、制御装置４０が、接触があった操作キー３１は、操作可能な操作キー３１ではないと判定した場合（ステップＳ２０２のＮＯ）、エラー音データを記憶装置４１から取得する。そして、制御装置４０は、その取得したエラー音データに基づいた音を報知部４２により発生させ（ステップＳ２０４）、ステップＳ２０１の処理に戻る。または、制御装置４０は、報知部４２により音を発生させることなく（ステップＳ２０４）、つまり無音のままステップＳ２０１の処理に戻る。
【０１２８】
ステップＳ２０３において、制御装置４０は、接触があった操作キー３１に対応する説明用音声データを記憶装置４１から取得する。そして、制御装置４０は、その取得した説明用音声データに基づいた音声を報知部４２により発生させ、ステップＳ２０５の処理に進む。
【０１２９】
ステップＳ２０５において、制御装置４０は、押下検知部３４の検知信号に基づいて、接触があった操作キー３１が押下されたかどうかを判定する。
【０１３０】
ステップＳ２０５において、制御装置４０がいずれかの操作キー３１への押下があると判定した場合（ステップＳ２０５のＹＥＳ）、ステップＳ２０６の処理に進む。一方、制御装置４０が、いずれかの操作キー３１への押下がないと判定した場合（ステップＳ２０５のＮＯ）、ステップＳ２０７の処理に進む。
【０１３１】
ステップＳ２０６において、制御装置４０は、押下された操作キー３１は最後に接触があった操作キー３１と同じであるかどうかを判定する。
【０１３２】
ステップＳ２０６において、制御装置４０は、押下された操作キー３１は最後に接触があった操作キー３１と同じであると判定した場合（ステップＳ２０６のＹＥＳ）、押下された操作キー３１の入力を受け付け（ステップＳ２０８）、ステップＳ２０９の処理に進む。一方、制御装置４０は、押下された操作キー３１は最後に接触があった操作キー３１と同じではないと判定した場合（ステップＳ２０６のＮＯ）、押下された操作キー３１の入力を受け付けず、ステップＳ２０５の処理に戻る。
【０１３３】
ステップＳ２０７において、制御装置４０は、接触検知部３２の検知信号に基づいて、いずれかの操作キー３１への接触があるかどうかを判定する。
【０１３４】
ステップＳ２０７において、制御装置４０が、いずれかの操作キー３１への接触があると判定した場合（ステップＳ２０７のＹＥＳ）、ステップＳ２０２の処理に戻る。一方、制御装置４０が、いずれかの操作キー３１への接触がないと判定した場合（ステップＳ２０７のＮＯ）、ステップＳ２０５の処理に戻る。
【０１３５】
ステップＳ２０９において、制御装置４０は、操作キー入力確定音データを記憶装置４１から取得し、その取得した操作キー入力確定音データに基づいた音を報知部４２により発生させ、ステップＳ２０１の処理に戻る。
【０１３６】
以上、本実施の形態２に係る加熱調理器１００の制御装置４０は、接触検知部３２により操作キー３１への接触を検知した場合に、該操作キー３１が操作可能な操作キー３１でなかった場合、報知部４２により該操作キー３１が何の操作キー３１であるのかを報知しないものである。
【０１３７】
本実施の形態２に係る加熱調理器１００によれば、ユーザーが操作不可能（または操作不要）な操作キー３１に接触してしまった場合でも、むやみに音が発生するのを抑制することができ、視覚障害者にとって操作部３０の使い勝手を向上させることができる。
【０１３８】
また、本実施の形態２に係る加熱調理器１００の制御装置４０は、接触検知部３２により操作キー３１への接触を検知した場合に、該操作キー３１が操作可能な操作キー３１でなかった場合、報知部４２によりエラーを報知するものである。
【０１３９】
本実施の形態２に係る加熱調理器１００によれば、ユーザーが操作不可能（または操作不要）な操作キー３１に接触してしまった場合、そのことをエラー音でユーザーに報知することができ、視覚障害者にとって操作部３０の使い勝手を向上させることができる。
【符号の説明】
【０１４０】
１０  上部ユニット、１１  天板、１２  左載置部、１３  右載置部、１４  中央載置部、１７  吸気口、１８  排気口、１９  表示部、２０  下部ユニット、２１  筐体、２２  グリル庫、２５  グリル庫加熱部、２６  左加熱部、２７  右加熱部、２８  中央加熱部、３０  操作部、３１  操作キー、３１ａ〜３１ｌ  操作キー、３２  接触検知部、３２ａ〜３２ｌ  接触検知部、３３  操作基板、３３ａ〜３３ｌ  操作基板、３４  押下検知部、３４ａ〜３４ｌ  押下検知部、３５  保護カバー、３５ａ〜３５ｌ  保護カバー、３６ｉ〜３６ｌ  導光部、３７ｋ  接続体、４０  制御装置、４１  記憶装置、４２  報知部、４４  電源回路、４５  グリル庫加熱部制御回路、４６  左加熱部制御回路、４７  右加熱部制御回路、４８  中央加熱部制御回路、５１  交流電源、１００  加熱調理器。
【図１】
2019095082.tif 000003
【図２】
2019095082.tif 000004
【図３】
2019095082.tif 000005
【図４】
2019095082.tif 000006
【図５】
2019095082.tif 000007
【図６】
2019095082.tif 000008
【図７】
2019095082.tif 000009
【図８】
2019095082.tif 000010
【図９】
2019095082.tif 000011
【図１０】
2019095082.tif 000012
【図１１】
2019095082.tif 000013
【図１２】
2019095082.tif 000014
【図１３】
2019095082.tif 000015
【図１４】
2019095082.tif 000016
【図１５】
2019095082.tif 000017
【図１６】
2019095082.tif 000018